(57)【要約】【課題】容器用中栓を容器本体から取り外す際に、使用者が把持しやすいキャップを利用して容器用中栓の取り外しを簡便に達成するとともに、容器用中栓を容器本体に組み付ける際に、キャップを利用して容器用中栓の組み付けを簡便に達成する分別可能な容器用中栓とこれを用いた分別可能な容器を提供すること。【解決手段】内容物を内在させる容器本体１１０と、この容器本体１１０に外嵌装着されるキャップ１２０と、容器本体１１０に密着挿入される容器用中栓１３０とを備え、キャップ１２０のキャップ内周側ネジ部１２１ａを共用して順次螺合する容器用中栓１３０の中栓外周側ネジ部１３２ａと容器本体１１０の容器外周側ネジ部１１１ｂとが、同一のネジピッチと同一のネジ外径と同一のネジ巻き方向とで形成されている容器１００。【選択図】図１
2008213904.tif 000002
【特許請求の範囲】
【請求項１】
容器本体の容器開口部に密着挿入される円筒状栓胴体部と、該円筒状栓胴体部に一体成型されてキャップ装着時にキャップと共働状態で容器開口部を封止する環状封止部と、該環状封止部の外周に螺刻されてキャップ装着時にキャップのキャップ内周側ネジ部と螺合する中栓外周側ネジ部とで構成されて、キャップ装着時に円筒状栓胴体部が容器開口部に押圧挿入されて容器用中栓が容器本体に嵌着可能であるとともにキャップ離脱時に中栓外周側ネジ部がキャップと螺合係止状態で一体化して容器本体から引き抜き分別可能な容器用中栓であって、
前記キャップのキャップ内周側ネジ部を共用して順次螺合する容器用中栓の中栓外周側ネジ部と容器本体の容器外周側ネジ部とが、同一のネジピッチと同一のネジ外径と同一のネジ巻き方向とで形成されていることを特徴とする容器用中栓。
【請求項２】
内容物を内在させる容器本体と、該容器本体に外嵌装着されるキャップと、前記容器本体の容器開口部に密着挿入される円筒状栓胴体部と該円筒状栓胴体部に一体成型されてキャップ装着時にキャップと共働状態で容器開口部を封止する環状封止部と該環状封止部の外周に螺刻されてキャップ装着時にキャップのキャップ内周側ネジ部と螺合する中栓外周側ネジ部とで構成された容器用中栓とを備え、キャップ装着時に容器用中栓の円筒状栓胴体部を容器本体の容器開口部に押圧挿入して容器用中栓を容器本体に嵌着することが可能であるとともにキャップ離脱時にキャップと螺合係止状態で一体化して容器本体から容器用中栓を分別可能な容器であって、
前記キャップのキャップ内周側ネジ部を共用して順次螺合する容器用中栓の中栓外周側ネジ部と容器本体の容器外周側ネジ部とが、同一のネジピッチと同一のネジ外径と同一のネジ巻き方向とで形成されていることを特徴とする容器。
【請求項３】
前記容器本体がガラス製であるとともに、前記容器用中栓がプラスチック製であることを特徴とする請求項２記載の容器。
【請求項４】
前記容器本体、及び／または、容器用中栓及びキャップに、キャップ離脱時にキャップが容器用中栓のみと螺合係止状態となる分別可能位置を知覚させる分別位置知覚手段が設けられていることを特徴とする請求項２または請求項３記載の容器。
【請求項５】
前記分別位置知覚手段が、前記容器本体の容器外周側ネジ部に設けられた分別位置マークであることを特徴とする請求項４記載の容器。
【請求項６】
前記分別位置知覚手段が、前記容器用中栓の中栓外周側ネジ部とキャップのキャップ内周側ネジ部とにそれぞれ設けられてキャップ装着時またはキャップ離脱時に相互に接触して乗り越える一対の分別知覚用小突起であることを特徴とする請求項４記載の容器。
【発明の詳細な説明】
【技術分野】
【０００１】
本発明は、化粧料用容器、医薬品用容器、食品用容器等に組み込まれる分別可能な容器用中栓とこの容器用中栓を用いた分別可能な容器に関する。
【背景技術】
【０００２】
従来、上方へ突出する口部を有する容器本体と、該容器本体の口部の外周に嵌着される第１嵌着部と前記容器本体の口部の内周に嵌合される第２嵌着部とを有する中栓と、前記口部から容器本体部分に連なる肩部の外周径に対応する内径の開口を有するとともに前記中栓を含む容器本体の上端部分全体を覆うように閉じられた形状のキャップとを備えた容器が知られている（例えば、特許文献１参照。）。
【特許文献１】特開２００２−３７０７５８号公報（第３欄、図２）
【発明の開示】
【発明が解決しようとする課題】
【０００３】
しかしながら、前述したような従来の容器は、内容物の詰め替えのために中栓を容器本体の口部から取り外す際、中栓が第１嵌着部と第２嵌着部とを介して容器本体の口部に強固に取り付けられているために取り外すことが困難であり、その結果、ハサミやカッター等の治具を用いて取り外さなければならないという厄介な問題があった。
そして、容器本体がガラス製、中栓がプラスチック製である場合、資源の分別やゴミの分別廃棄を行うためにプラスチック製の中栓をガラス製の容器本体の口部から取り外す必要があり、容易に中栓を容器本体から取り外すことができないという分別廃棄上の問題があった。
【０００４】
そこで、本発明は、従来の問題を解決するものであって、すなわち、本発明の目的は、容器用中栓を容器本体から取り外す際に、使用者が把持しやすいキャップを利用して容器用中栓の取り外しを簡便に達成するとともに、容器用中栓を容器本体に組み付ける際に、キャップを利用して容器用中栓の組み付けを簡便に達成する分別可能な容器用中栓とこれを用いた分別可能な容器を提供することである。
【課題を解決するための手段】
【０００５】
請求項１に係る本発明は、容器本体の容器開口部に密着挿入される円筒状栓胴体部と、該円筒状栓胴体部に一体成型されてキャップ装着時にキャップと共働状態で容器開口部を封止する環状封止部と、該環状封止部の外周に螺刻されてキャップ装着時にキャップのキャップ内周側ネジ部と螺合する中栓外周側ネジ部とで構成されて、キャップ装着時に円筒状栓胴体部が容器開口部に押圧挿入されて容器用中栓が容器本体に嵌着可能であるとともにキャップ離脱時に中栓外周側ネジ部がキャップと螺合係止状態で一体化して容器本体から引き抜き分別可能な容器用中栓であって、前記キャップのキャップ内周側ネジ部を共用して順次螺合する容器用中栓の中栓外周側ネジ部と容器本体の容器外周側ネジ部とが、同一のネジピッチと同一のネジ外径と同一のネジ巻き方向とで形成されていることにより、前述した課題を解決したものである。
【０００６】
請求項２に係る本発明は、内容物を内在させる容器本体と、該容器本体に外嵌装着されるキャップと、前記容器本体の容器開口部に密着挿入される円筒状栓胴体部と該円筒状栓胴体部に一体成型されてキャップ装着時にキャップと共働状態で容器開口部を封止する環状封止部と該環状封止部の外周に螺刻されてキャップ装着時にキャップのキャップ内周側ネジ部と螺合する中栓外周側ネジ部とで構成された容器用中栓とを備え、キャップ装着時に容器用中栓の円筒状栓胴体部を容器本体の容器開口部に押圧挿入して容器用中栓を容器
本体に嵌着することが可能であるとともにキャップ離脱時にキャップと螺合係止状態で一体化して容器本体から容器用中栓を分別可能な容器であって、前記キャップのキャップ内周側ネジ部を共用して順次螺合する容器用中栓の中栓外周側ネジ部と容器本体の容器外周側ネジ部とが、同一のネジピッチと同一のネジ外径と同一のネジ巻き方向とで形成されていることにより、前述した課題をさらに解決したものである。
【０００７】
請求項３に係る本発明は、請求項２記載の構成に加えて、前記容器本体がガラス製であるとともに、前記容器用中栓がプラスチック製であることにより、前述した課題をさらに解決したものである。
【０００８】
請求項４に係る本発明は、請求項２または請求項３記載の構成に加えて、前記容器本体、及び／または、容器用中栓及びキャップに、キャップ離脱時にキャップが容器用中栓のみと螺合係止状態となる分別可能位置を知覚させる分別位置知覚手段が設けられていることにより、前述した課題をさらに解決したものである。
【０００９】
請求項５に係る本発明は、請求項４記載の構成に加えて、前記分別位置知覚手段が、前記容器本体の容器外周側ネジ部に設けられた分別位置マークであることにより、前述した課題をさらに解決したものである。
【００１０】
請求項６に係る本発明は、請求項４記載の構成に加えて、前記分別位置知覚手段が、前記容器用中栓の中栓外周側ネジ部とキャップのキャップ内周側ネジ部とにそれぞれ設けられてキャップ装着時またはキャップ離脱時に相互に接触して乗り越える一対の分別知覚用小突起であることにより、前述した課題をさらに解決したものである。
【発明の効果】
【００１１】
そこで、本発明は、内容物を内在させる容器本体と、該容器本体に外嵌装着されるキャップと、前記容器本体の容器開口部に密着挿入される円筒状栓胴体部と該円筒状栓胴体部に一体成型されてキャップ装着時にキャップと共働状態で容器開口部を封止する環状封止部と該環状封止部の外周に螺刻されてキャップ装着時にキャップのキャップ内周側ネジ部と螺合する中栓外周側ネジ部とで構成された容器用中栓とを備えているとともに、以下のような特有の構成によって格別な効果を奏するものである。
【００１２】
すなわち、請求項１に係る本発明の容器用中栓及び請求項２に係る本発明の容器によれば、キャップのキャップ内周側ネジ部を共用して順次螺合する容器用中栓の中栓外周側ネジ部と容器本体の容器外周側ネジ部とが、同一のネジピッチと同一のネジ外径と同一のネジ巻き方向とで形成されていることにより、内容物の詰め替え等のために容器用中栓を容器本体から取り外す際には、キャップ内周側ネジ部を中栓外周側ネジ部のみと螺合させてキャップと容器用中栓とを一体化した後、この一体化されたキャップ及び容器用中栓を容器本体から引き抜くことで、容器用中栓に比べて外径が大きく使用者が把持しやすいキャップを利用して容器本体から容器用中栓を引き抜くことができるので、ハサミやカッター等の治具を用いることなく容器本体から容器用中栓を簡便に取り外すことができる。
【００１３】
また、容器用中栓を容器本体に組み付ける際には、容器開口部の上に容器用中栓を載置した後、キャップを容器用中栓に被嵌して閉蓋方向に回転させることでキャップ内周側ネジ部が容器外周側ネジ部へも螺合進行し、キャップの回転力を利用して容器用中栓が容器開口部内に向けて押し込まれるので、過度の押圧力を必要とすることなく容器用中栓を容器本体に簡便に組み付けることができる。
【００１４】
そして、容器用中栓を容器本体に組み付ける際に、キャップ内周側ネジ部が、互いに同一のネジピッチと同一のネジ外径と同一のネジ巻き方向とで形成された中栓外周側ネジ部
と容器外周側ネジ部との相方にそれぞれ螺合するため、キャップの回転に伴ってキャップ内周側ネジ部を共用する中栓外周側ネジ部のネジ山と容器外周側ネジ部のネジ山とが互いに一連となって整合する位置まで容器用中栓も回転し、容器用中栓を容器本体に組み付けた後に容器を使用する際にもキャップの円滑な開閉を実現できる。
【００１５】
請求項３に係る本発明の容器によれば、請求項２記載の容器が奏する効果に加えて、容器本体がガラス製であるとともに、容器用中栓がプラスチック製であることにより、資源の分別やゴミの分別廃棄のためにプラスチック製の容器用中栓をガラス製の容器本体から取り外す際には、キャップ内周側ネジ部を中栓外周側ネジ部のみと螺合させてキャップと容器用中栓とを一体化した後、この一体化されたキャップ及び容器用中栓を容器本体から引き抜くことで、容器用中栓に比べて外径が大きく使用者が把持しやすいキャップを利用して容器本体から容器用中栓を引き抜くことができるので、ハサミやカッター等の治具を用いることなく容器本体から容器用中栓を取り外すことができ、資源の分別廃棄を簡便に達成できる。
【００１６】
請求項４に係る本発明の容器によれば、請求項２または請求項３記載の容器が奏する効果に加えて、容器本体、及び／または、容器用中栓及びキャップに分別位置知覚手段が設けられていることにより、内容物の詰め替えや資源の分別、ゴミの分別廃棄等のために容器用中栓を容器本体から取り外す際には、分別位置知覚手段でキャップ内周側ネジ部が中栓外周側ネジ部のみと螺合する位置を判別できるので、容器用中栓の取り外しタイミングを的確に認識できる。
【００１７】
請求項５に係る本発明の容器によれば、請求項４記載の容器が奏する効果に加えて、分別位置知覚手段が容器本体の容器外周側ネジ部に設けられた分別位置マークであることにより、内容物の詰め替えや資源の分別、ゴミの分別廃棄等のために容器用中栓を容器本体から取り外す際には、キャップの先端部が容器外周側ネジ部の分別位置マークに一致するようにキャップを容器本体及び容器用中栓に対して螺合進退させるだけで、キャップ内周側ネジ部が中栓外周側ネジ部のみと螺合する位置を視認して判別できるので、容器用中栓の取り外しタイミングを的確に認識できる。
【００１８】
請求項６に係る本発明の容器によれば、請求項４記載の容器が奏する効果に加えて、分別位置知覚手段が容器用中栓の中栓外周側ネジ部とキャップのキャップ内周側ネジ部とにそれぞれ設けられた一対の分別知覚用小突起であることにより、内容物の詰め替えや資源の分別、ゴミの分別廃棄等のために容器用中栓を容器本体から取り外す際には、容器本体及び容器用中栓に対してキャップを螺合進退させてキャップ内周側ネジ部の分別知覚用小突起が中栓外周側ネジ部の分別知覚用小突起に接触して乗り越える際に生じる触感や接触音を知覚するだけで、キャップ内周側ネジ部が中栓外周側ネジ部のみと螺合する位置を判別できるので、容器用中栓の取り外しタイミングを的確に認識できる。
【発明を実施するための最良の形態】
【００１９】
本発明は、内容物を内在させる容器本体と、該容器本体に外嵌装着されるキャップと、該容器本体に開閉自在に螺合して外嵌されるキャップと、前記容器本体の容器開口部に密着挿入される円筒状栓胴体部と該円筒状栓胴体部に一体成型されてキャップ装着時にキャップと共働状態で容器開口部を封止する環状封止部と該環状封止部の外周に螺刻されてキャップ装着時にキャップのキャップ内周側ネジ部と螺合する中栓外周側ネジ部とで構成された容器用中栓とを備え、キャップ装着時に容器用中栓の円筒状栓胴体部を容器本体の容器開口部に押圧挿入して容器用中栓を容器本体に嵌着することが可能であるとともにキャップ離脱時にキャップと螺合係止状態で一体化して容器本体から容器用中栓を分別可能な容器であって、前記キャップのキャップ内周側ネジ部を共用して順次螺合する容器用中栓の中栓外周側ネジ部と容器本体の容器外周側ネジ部とが、同一のネジピッチと同一のネジ
外径と同一のネジ巻き方向とで形成されて、容器用中栓を容器本体から取り外す際に、使用者が把持しやすいキャップを利用して容器用中栓の取り外しを簡便に達成するとともに、容器用中栓を容器本体に組み付ける際に、キャップを利用して容器用中栓の組み付けを簡便に達成するものであれば、その具体的な実施の形態は如何なるものであっても何ら構わない。
【００２０】
例えば、本発明の容器に用いられる容器本体の具体的材料については、ガラス、プラスチック、金属、陶器等のいずれであっても良い。
また、本発明の容器に用いられるキャップの具体的材料については、キャップ形態の成形加工が容易なものであれば、ポリエチレン、ポリプロピレン等のプラスチックや金属等のいずれであっても良い。
また、本発明の容器に用いられる容器用中栓の具体的材料については、中栓形態の成形加工が容易なものであればいずれの材料でも良く、特に、ポリエチレン、ポリプロピレン等のプラスチックが好ましい。
【００２１】
また、本発明の容器に用いられる容器本体の具体的形状については、口顎部が円筒状のものであれば、内容物を内在させる本体部分の形状は、円形断面、多角形断面を有する筒状のもの、球形状のもの等のいずれであっても良い。
【００２２】
また、本発明の容器に用いられる容器本体の分別位置知覚手段の具体的態様は、分別可能位置を知覚し得るものであればいずれの態様であっても良く、特に、容器本体の容器外周側ネジ部に設けられた分別位置マークや、容器用中栓の中栓外周側ネジ部とキャップのキャップ内周側ネジ部とにそれぞれ設けられた相互に接触して乗り越え得る一対の分別知覚用小突起等を好適な例として挙げることができる。
分別位置マークの具体的態様については、キャップの離脱時にキャップが容器用中栓のみと螺合係止状態となる分別可能位置を判別できるものであれば、容器本体に環状またはポイント状に着色したものであっても良く、また、レーザーマーキング、ペイントマーキング等のいかなるマーキング手段を用いてマーキングしたものであっても良い。
また、容器用中栓の分別知覚用小突起とキャップの分別知覚用小突起の具体的態様については、相互に接触して乗り越えることによりクリック感を生じせしめて分別可能位置を判別できるものであれば、大きさ、形状、位置は限定されない。なお、この分別知覚用小突起は、通常、容器用中栓及びキャップを成形する時に各部材の一部として各々同材質で形成されることが多い。
そして、分別位置知覚手段は、このような分別位置マークや一対の分別知覚用小突起等を１種使用しても良いし、２種以上を組み合わせて使用しても良い。
【００２３】
また、本発明の容器に用いられる容器本体、容器用中栓、キャップにそれぞれ螺刻される容器外周側ネジ部、中栓外周側ネジ部、キャップ内周側ネジ部のネジ巻き方向については、これらのネジ部が同一のネジ巻き方向であれば、右ネジ巻き方向、左ネジ巻き方向のいずれであっても良い。
【００２４】
そして、本発明の容器に用いられる容器用中栓に螺刻された中栓外周側ネジ部の具体的態様については、容器本体から容器用中栓を取り外す際にキャップ内周側ネジ部と螺合係止状態を呈するものであれば、容器用中栓に螺刻するネジ巻き回数に特段の制限はなく、特に、ネジ巻き回数が１周以上であるものを採用した場合には、中栓外周側ネジ部とキャップ内周側ネジ部とが螺合係止状態になる範囲が広がり、容器用中栓の取り外しタイミングが増大して容器用中栓を容器本体から容易かつ確実に取り外すことができるので、より好ましい。
【実施例】
【００２５】
以下、本発明の一実施例である容器１００を図面に基づいて説明する。
ここで、図１は、本発明の一実施例である容器を分解した全体図であり、図２は、容器本体に容器用中栓を組み込んだ状態を示す斜視図であり、図３は、容器を組み立てた状態を示す斜視図であり、図４は、キャップが容器用中栓のみと螺合した状態を示す斜視図であり、図５は、キャップ及び容器用中栓を容器本体から抜き出した状態を示す斜視図である。
【００２６】
まず、本実施例である容器１００は、図１乃至図３に示すように、内容物を内在させる容器本体１１０と、この容器本体１１０に外嵌装着されるキャップ１２０と、容器本体１１０に密着挿入される容器用中栓１３０とを備えている。
【００２７】
容器本体１１０は、図１乃至図３に示すように、化粧水等の内容物を収容するものであり、ガラスからなるボトル形状を呈している。
容器本体１１０の上端には、上方へ突出する円筒状の口顎部１１１が設けられ、この口顎部１１１は、内容物を注入及び排出するための容器開口部１１１ａと、口顎部１１１の外周に螺刻された容器外周側ネジ部１１１ｂと、口顎部１１１の先端部外周に形成された中栓嵌合用段部１１１ｃとを有している。
そして、容器本体１１０の容器外周側ネジ部１１１ｂには、キャップ１２０の離脱時にキャップ１２０が容器用中栓１３０のみと螺合係止状態となる分別可能位置を表示する分別位置マーク１１２が設けられている。
【００２８】
キャップ１２０は、図１乃至図３に示すように、容器本体１１０の口顎部１１１に外嵌装着されるものであり、ポリプロピレンで成形され、キャップ円筒部１２１とこのキャップ円筒部１２１に一体成形されたキャップ頂部１２２とを備えている。
キャップ円筒部１２１は、図１乃至図３に示すように、その内周に螺刻されたキャップ内周側ネジ部１２１ａを有し、このキャップ内周側ネジ部１２１ａは、容器本体１１０の容器外周側ネジ部１１１ｂと螺合するように同一のネジピッチと同一の右ネジ巻き方向とで形成されている。
キャップ内周側ネジ部１２１ａの下端近傍には、分別位置知覚手段としての分別知覚用小突起１２３が、ネジ山の上側に設けられており、この分別知覚用小突起１２３は、後述する容器用中栓１３０の分別知覚用小突起１３３と共働して分別可能位置を判別するためのものである。
キャップ頂部１２２は、図１乃至図３に示すように、キャップ１２０の内側に向けて突出する環状の外側密封用突出部１２２ａと環状の内側密封用突出部１２２ｂとを有している。
この外側密封用突出部１２２ａは、キャップ１２０の装着時に、容器用中栓１３０に当接して容器１００を密封するものであり、また、内側密封用突出部１２２ｂは、キャップ１２０の装着時に、後述する容器用中栓１３０の密封用突出部１３２ｂと共働状態で容器１００を密封するものである。
【００２９】
容器用中栓１３０は、図１乃至図３に示すように、軟質ポリエチレンで成形され、容器開口部１１１ａに密着挿入される円筒状栓胴体部１３１と、この円筒状栓胴体部１３１に一体成形されて容器本体１１０の中栓嵌合用段部１１１ｃに嵌合する環状封止部１３２とを備えている。
環状封止部１３２は、図１乃至図３に示すように、その外周に螺刻された中栓外周側ネジ部１３２ａを有し、この中栓外周側ネジ部１３２ａは、容器本体１１０の容器外周側ネジ部１１１ｂと同一のネジピッチと同一のネジ外径と同一の右ネジ巻き方向とで形成され、キャップ１２０のキャップ内周側ネジ部１２１ａと螺合するようになっており、このキャップ内周側ネジ部１２１ａのネジ巻き回数は約１周である。
中栓外周側ネジ部１３２ａの下端近傍には、分別位置知覚手段としての分別知覚用小突
起１３３が、ネジ山の下側に設けられており、この分別知覚用小突起１３３は、前述したキャップ１２０の分別知覚用小突起１２３と共働して分別可能位置を判別するためのものである。
また、環状封止部１３２は、キャップ１２０に向けて突出形成された密封用突出部１３２ｂを有し、この密封用突出部１３２ｂは、キャップ１２０の装着時に、キャップ１２０の内側密封用突出部１２２ｂと圧入嵌合して容器１００を密封するものである。
【００３０】
次に、キャップ１２０を用いて容器本体１１０から容器用中栓１３０を取り外す方法について図４または図５に基づいて説明する。
まず、容器用中栓１３０を容器本体１１０から取り外す際には、図４に示すように、キャップ１２０のキャップ内周側ネジ部１２１ａが容器用中栓１３０の中栓外周側ネジ部１３２ａのみと螺合するようにキャップ１２０を螺合進退させる。
なお、容器本体１１０の容器外周側ネジ部１１１ｂには、分別位置マーク１１２が設けられており、キャップ１２０の先端部を容器外周側ネジ部１１１ｂの分別位置マーク１１２に一致させるだけで、キャップ内周側ネジ部１２１ａが中栓外周側ネジ部１３２ａのみと螺合する位置を判別できるようになっている。
また、容器用中栓１３０の中栓外周側ネジ部１３２ａとキャップ１２０のキャップ内周側ネジ部１２１ａには、分別知覚用小突起１３３と分別知覚用小突起１２３とがそれぞれ設けられており、この容器用中栓１３０の分別知覚用小突起１３３とキャップ１２０の分別知覚用小突起１２３とが相互に接触して乗り越える際に生じる接触音や触感、いわゆる、クリック感を介してキャップ内周側ネジ部１２１ａが中栓外周側ネジ部１３２ａのみと螺合する位置を判別できるようになっている。
そして、図５に示すように、キャップ内周側ネジ部１２１ａが中栓外周側ネジ部１３２ａと螺合することで一体化されたキャップ１２０と容器用中栓１３０とを容器本体１１０から抜き出すことで、容器本体１１０から容器用中栓１３０を取り外す。
【００３１】
次に、キャップ１２０を用いて容器本体１１０に容器用中栓１３０を組み付ける方法について説明する。
まず、容器用中栓１３０を容器本体１１０に組み付ける際には、容器本体１１０の容器開口部１１１ａの上に容器用中栓１３０を載置し、その後、キャップ内周側ネジ部１２１ａが中栓外周側ネジ部１３２ａに対して螺合するようにキャップ１２０を容器用中栓１３０に被嵌する。
その後、キャップ１２０を閉蓋方向に回転させると、キャップ１２０は容器用中栓１３０に対して螺合進行し、キャップ１２０の密封用突出部１３２ｂが、容器用中栓１３０の環状封止部１３２の上端面に当接する。
このようにキャップ１２０の密封用突出部１３２ｂが容器用中栓１３０の環状封止部１３２の上端面に当接した状態から更にキャップ１２０を回転させると、キャップ内周側ネジ部１２１ａは中栓外周側ネジ部１３２ａに更に螺合進行して、その結果、容器用中栓１３０がキャップ１２０の密封用突出部１３２ｂとキャップ内周側ネジ部１２１ａとで挟持された状態となり、容器用中栓１３０とキャップ１２０とが一体化する。
そして、容器用中栓１３０とキャップ１２０とが一体化された後、キャップ１２０を更に回転させることにより、容器用中栓１３０もキャップ内周側ネジ部１２１ａが容器外周側ネジ部１１１ｂに対して螺合進行し始める位置まで回転し、その後、キャップ１２０は容器本体１１０に対して螺合進行し、そして、このようなキャップ１２０の螺合進行に伴って、キャップ１２０と一体化された容器用中栓１３０の円筒状栓胴体部１３１が、容器本体１１０の容器開口部１１１ａの内部に挿入嵌着される。
【００３２】
このようにして得られた本実施例の容器１００は、キャップ１２０のキャップ内周側ネジ部１２１ａを共用して順次螺合する容器用中栓１３０の中栓外周側ネジ部１３２ａと容器本体１１０の容器外周側ネジ部１１１ｂとが、同一のネジピッチと同一のネジ外径と同
一のネジ巻き方向とで形成されている。
したがって、資源の分別やゴミの分別廃棄、内容物の詰め替え等のために容器用中栓１３０を容器本体１１０から取り外す際には、キャップ内周側ネジ部１２１ａを中栓外周側ネジ部１３２ａのみと螺合させてキャップ１２０と容器用中栓１３０とを一体化した後、この一体化されたキャップ１２０及び容器用中栓１３０を容器本体１１０から引き抜くことで、容器用中栓１３０に比べて外径が大きく使用者が把持しやすいキャップ１２０を利用して容器本体１１０から容器用中栓１３０を引き抜くことができるので、ハサミやカッター等の治具を用いることなく容器本体１１０から容器用中栓１３０を簡便に取り外すことができる。
【００３３】
また、容器用中栓１３０を容器本体１１０に組み付ける際には、容器開口部１１１ａの上に容器用中栓１３０を載置した後、キャップ１２０を容器用中栓１３０に被嵌して閉蓋方向に回転させることでキャップ内周側ネジ部１２１ａが容器外周側ネジ部１１１ｂへも螺合進行し、キャップ１２０の回転力を利用して容器用中栓１３０が容器開口部１１１ａの内部に向けて押し込まれるので、過度の押圧力を必要とすることなく容器用中栓１３０を容器本体１１０に簡便に組み付けることができる。
【００３４】
また、容器用中栓１３０を容器本体１１０に組み付ける際に、キャップ内周側ネジ部１２１ａが、互いに同一のネジピッチと同一のネジ外径と同一のネジ巻き方向とで形成された中栓外周側ネジ部１３２ａと容器外周側ネジ部１１１ｂとの相方にそれぞれ螺合するため、キャップ１２０の回転に伴ってキャップ内周側ネジ部１２１ａを共用する中栓外周側ネジ部１３２ａのネジ山と容器外周側ネジ部１１１ｂのネジ山とが互いに一連となって整合する位置まで容器用中栓１３０も回転し、容器用中栓１３０を容器本体１１０に組み付けた後に容器１００を使用する際にもキャップ１２０の円滑な開閉を実現できる。
【００３５】
そして、容器本体１１０の容器外周側ネジ部１１１ｂには、キャップ１２０の離脱時にキャップ１２０が容器用中栓１３０のみと螺合係止状態となる分別可能位置を表示する分別位置マーク１１２が設けられている。
したがって、内容物の詰め替えや資源の分別、ゴミの分別廃棄等のために容器用中栓１３０を容器本体１１０から取り外す際には、キャップ１２０の先端部が容器外周側ネジ部１１１ｂの分別位置マーク１１２に一致するようにキャップ１２０を容器本体１１０及び容器用中栓１３０の相方に螺合進退させるだけで、キャップ内周側ネジ部１２１ａが中栓外周側ネジ部１３２ａのみと螺合する位置を視認して判別できるので、容器用中栓１３０の取り外しタイミングを的確に認識できる。
【００３６】
また、容器用中栓１３０の中栓外周側ネジ部１３２ａとキャップ１２０のキャップ内周側ネジ部１２１ａには、分別知覚用小突起１３３と分別知覚用小突起１２３とがそれぞれ設けられている。
したがって、内容物の詰め替えや資源の分別、ゴミの分別廃棄等のために容器用中栓１３０を容器本体１１０から取り外す際には、容器本体１１０及び容器用中栓１３０に対してキャップ１２０を螺合進退させてキャップ内周側ネジ部１２１ａの分別知覚用小突起１２３が中栓外周側ネジ部１３２ａの分別知覚用小突起１３３に接触して乗り越える際に生じる触感や接触音を知覚するだけで、キャップ内周側ネジ部１２１ａが中栓外周側ネジ部１３２ａのみと螺合する位置を判別できるので、容器用中栓１３０の取り外しタイミングを的確に認識できる等、その効果は甚大である。
【図面の簡単な説明】
【００３７】
【図１】本発明の一実施例である容器を分解した全体図。
【図２】容器本体に容器用中栓を組み込んだ状態を示す斜視図。
【図３】容器を組み立てた状態を示す斜視図。
【図４】キャップが容器用中栓のみと螺合した状態を示す斜視図。
【図５】キャップ及び容器用中栓を容器本体から抜き出した状態を示す斜視図。
【符号の説明】
【００３８】
１００      ・・・  容器
１１０      ・・・  容器本体
１１１      ・・・  口顎部
１１１ａ    ・・・  容器開口部
１１１ｂ    ・・・  容器外周側ネジ部
１１１ｃ    ・・・  中栓嵌合用段部
１１２      ・・・  分別位置マーク
１２０      ・・・  キャップ
１２１      ・・・  キャップ円筒部
１２１ａ    ・・・  キャップ内周側ネジ部
１２２      ・・・  キャップ頂部
１２２ａ    ・・・  外側密封用突出部
１２２ｂ    ・・・  内側密封用突出部
１２３      ・・・  分別知覚用小突起
１３０      ・・・  容器用中栓
１３１      ・・・  円筒状栓胴体部
１３２      ・・・  環状封止部
１３２ａ    ・・・  中栓外周側ネジ部
１３２ｂ    ・・・  密封用突出部
１３３      ・・・  分別知覚用小突起
【図１】
2008213904.tif 000003
【図２】
2008213904.tif 000004
【図３】
2008213904.tif 000005
【図４】
2008213904.tif 000006
【図５】
2008213904.tif 000007